(57)【要約】【課題】  従来技術の難点を解消し、発光作用及び芳香消臭作用を有し、且つ、水溶液の状態においても安定性並びに香料の保留性に優れた水性蛍光芳香消臭剤を提供する。【解決手段】  本発明の水性蛍光芳香消臭剤組成物は、下記一般式（１）                      ＭＡｌ２Ｏ４        （１）（式中、Ｍはカルシウム、ストロンチウム、バリウムからなる群から選ばれる少なくとも１種以上の金属元素である。）で表される蓄光顔料、アミンオキシド型両性界面活性剤及び香料を含有することを特徴とする。【選択図】        なし【特許請求の範囲】
【請求項１】
下記一般式（１）
ＭＡｌ２Ｏ４        （１）
（式中、Ｍはカルシウム、ストロンチウム、バリウムからなる群から選ばれる少なくとも１種以上の金属元素である。）
で表される蓄光顔料、アミンオキシド型両性界面活性剤及び香料を含有することを特徴とする水性蛍光芳香消臭剤組成物。
【請求項２】
アミンオキシド型両性界面活性剤が、一般式（２）：
【化１】
2005287570.tif 000019
（式中、Ｒ1は炭素数８〜２２のアルキル基又は炭素数８〜２２のアルケニル基を示す。）で表わされるアミンオキシド型両性界面活性剤（２）、一般式（３）：
【化２】
2005287570.tif 000020
（式中、Ｒ2は炭素数８〜２２のアルキル基又は炭素数８〜２２のアルケニル基を、ｌ及びｍはエチレンオキシドの平均付加モル数を表し、ｌ＋ｍは１〜１０の整数である。）で表わされるアミンオキシド型両性界面活性剤（３）、一般式（４）：
【化３】
2005287570.tif 000021
（式中、Ｒ3は炭素数８〜２２のアルキル基又は炭素数８〜２２のアルケニル基を、ｎはエチレンオキシドの平均付加モル数を表し、ｎは１〜１０の整数である。）で表わされるアミンオキシド型両性界面活性剤（４）及び一般式（５）：
【化４】
2005287570.tif 000022
（式中、Ｒ4は炭素数８〜２２のアルキル基又は炭素数８〜２２のアルケニル基を示す）で表わされるアミンオキシド型両性界面活性剤（５）から選ばれる少なくとも１種のアミンオキシド型両性界面活性剤である請求項１に記載の水性蛍光芳香消臭剤組成物。
【請求項３】
アニオン性界面活性剤、非イオン性界面活性剤及び一般式（２）乃至（４）で表されるアミンオキシド型両性界面活性剤以外の両性界面活性剤から選ばれる１種以上の界面活性剤を更に含有する請求項１又は２に記載の水性蛍光芳香消臭剤組成物。
【請求項４】
Ｌ−酒石酸、マレイン酸、コハク酸、リンゴ酸、クエン酸及び乳酸よりなる群から選ばれた１種以上の有機酸を更に含有する請求項１乃至３のいずれかに記載の水性蛍光芳香消臭剤組成物。
【請求項５】
消臭剤及び忌避剤から選ばれる少なくとも１種以上の成分を更に含有する請求項１乃至４のいずれかに記載の水性蛍光芳香消臭剤組成物。
【請求項６】
請求項１乃至５のいずれかに記載の水性蛍光芳香消臭剤組成物に、カルボキシメチルセルロース多価金属塩、カラーギナン、寒天、ジェランガム、プルラン、カードラン、キサンタンガム、ペクチン、コンニャクグルコマンナン、キシログルカン、グアーガム、アラビアガム、ローカストビーンガム及びゼラチンから選ばれる１種以上のゲル化剤を添加してなる水性ゲル蛍光芳香消臭剤組成物。
【発明の詳細な説明】
【技術分野】
【０００１】
本発明は、特定の蓄光顔料とアミンオキシド型両性界面活性剤とを含有する水性蛍光芳香消臭剤組成物に関し、更に詳しくは、長期にわたる蛍光発光性に優れかつ安定性が良好であり、香料の保留性の高い水性蛍光芳香消臭剤組成物に関するものである。
【背景技術】
【０００２】
従来、水性芳香消臭剤組成物としては、香料を界面活性剤等の乳化剤を用いて可溶化したものや、更にこれを水溶性高分子でゲル状としたものなどが製品化されている。又、蛍光芳香消臭剤としては、（１）蓄光顔料と高給水性ポリマーを配合することにより、発光作用と消臭作用とを兼ね備えたゲル状発光消臭剤（特許文献１）や、（２）蓄光顔料と有機粘土複合体とを含む芳香組成物（特許文献２）などが提案されている。
【０００３】
しかしながら、上記（１）のゲル状発光消臭剤には、従来より硫化亜鉛、硫化カルシウム、硫化カドミウム亜鉛等に代表される畜光顔料が使用されていることに起因する幾つかの問題点が存在していた。すなわち、硫化亜鉛については、耐光性といった化学的安定性に問題があることに加え、蛍光顔料としての蛍光輝度及び残光性が低く、製品としての価値を十分とするほどの蛍光性を有していないという問題点があった。又、硫化カルシウム系のものは、耐湿性が悪く、空気中で極めて耐久性に乏しいという欠点を有し、硫化カドミウム亜鉛系については、公害元素と呼ばれるカドミウムを含有しているため実用性が低いというのが現状であった。
【０００４】
又、上記（２）の芳香組成物は、水分含量が多くなると蓄光顔料が分解してしまい蛍光を起こさなくなるので、水分含量を低く抑えるためにアルコールの含有量を高めておく必要がある。
【０００５】
一方、上記以外の蓄光顔料であるアルミン酸系蓄光顔料は、蛍光強輝度及び発光後の残光特性に優れているだけでなく、従来の夜光顔料に比較して耐光性、化学的安定性に優れ、長期間屋外に放置されても蛍光強度の低下、変色が生じにくく、又、放射性物質や有害物質を含まないため極めて人体に安全であるという特性を有している。しかしながら、このアルミン酸系蓄光顔料は、水分若しくはアルカリの存在下では加水分解しやすいため、配合できる成分が限定されてしまう欠点を有している。又、比重が３．６と極めて大きいことに加え、輝度に対する粒径依存性が極めて高く、なるべく粒径を変化させることなく安定に系中に分散させることが必要であったが、従来の水溶性高分子や粘土鉱物では、充分満足できる結果は得られなかった。
【０００６】
他方、ゲル状芳香剤としては、アミンオキシド型両性界面活性剤を配合する水性ゲル組成物（特許文献３）が知られている。しかしながら、形態はゲル状芳香剤であり、水溶液としての形態の芳香消臭剤の示唆はなく、ましてや蓄光顔料を加えることによる水性蛍光芳香消臭剤組成物について示唆する記載は一切ない。
【０００７】
【特許文献１】特開平６−３９０２３号公報
【特許文献２】特開平１０−３３０２３９号公報
【特許文献３】特開２００３−１５５３７７号公報
【発明の開示】
【発明が解決しようとする課題】
【０００８】
したがって、発光作用及び芳香消臭作用を有し、且つ、水溶液の状態においても安定性並びに香料の保留性に優れた水性蛍光芳香消臭剤の開発が望まれていた。
【課題を解決するための手段】
【０００９】
本発明者らは、上記課題を解決するために、鋭意研究を重ねた結果、特定の蓄光顔料とアミンオキシド型両性界面活性剤とを配合することにより、水系において、長期にわたり蛍光発光作用及び芳香消臭作用を有し、且つ、安定性並びに芳香消臭作用に優れた水性蛍光芳香消臭剤組成物が得られることを見出し、本発明を完成するに到った。
【００１０】
即ち、本発明は次の通りである。
１．  下記一般式（１）
ＭＡｌ２Ｏ４        （１）
（式中、Ｍはカルシウム、ストロンチウム、バリウムからなる群から選ばれる少なくとも１種以上の金属元素である。）
で表される蓄光顔料、アミンオキシド型両性界面活性剤及び香料を含有することを特徴とする水性蛍光芳香消臭剤組成物。
２．  アミンオキシド型両性界面活性剤が、一般式（２）：
【００１１】
【化５】
2005287570.tif 000002
（式中、Ｒ1は炭素数８〜２２のアルキル基又は炭素数８〜２２のアルケニル基を示す。）で表わされるアミンオキシド型両性界面活性剤（２）、一般式（３）：
【００１２】
【化６】
2005287570.tif 000003
（式中、Ｒ2は炭素数８〜２２のアルキル基又は炭素数８〜２２のアルケニル基を、ｌ及びｍはエチレンオキシドの平均付加モル数を表し、ｌ＋ｍは１〜１０の整数である。）で表わされるアミンオキシド型両性界面活性剤（３）、一般式（４）：
【００１３】
【化７】
2005287570.tif 000004
（式中、Ｒ3は炭素数８〜２２のアルキル基又は炭素数８〜２２のアルケニル基を、ｎはエチレンオキシドの平均付加モル数を表し、ｎは１〜１０の整数である。）で表わされるアミンオキシド型両性界面活性剤（４）及び一般式（５）：
【００１４】
【化８】
2005287570.tif 000005
（式中、Ｒ4は炭素数８〜２２のアルキル基又は炭素数８〜２２のアルケニル基を示す）で表わされるアミンオキシド型両性界面活性剤（５）から選ばれる少なくとも１種のアミンオキシド型両性界面活性剤である上記１．に記載の水性蛍光芳香消臭剤組成物。
３．  アニオン性界面活性剤、非イオン性界面活性剤及び一般式（２）乃至（４）で表されるアミンオキシド型両性界面活性剤以外の両性界面活性剤から選ばれる１種以上の界面活性剤を更に含有する上記１．又は２．に記載の水性蛍光芳香消臭剤組成物。
４．  Ｌ−酒石酸、マレイン酸、コハク酸、リンゴ酸、クエン酸及び乳酸よりなる群から選ばれた１種以上の有機酸を更に含有する上記１．乃至３．のいずれかに記載の水性蛍光芳香消臭剤組成物。
５．  消臭剤及び忌避剤から選ばれる少なくとも１種以上の成分を更に含有する上記１．乃至４．のいずれかに記載の水性蛍光芳香消臭剤組成物。
６．  上記１．乃至５．のいずれかに記載の水性蛍光芳香消臭剤組成物に、カルボキシメチルセルロース多価金属塩、カラーギナン、寒天、ジェランガム、プルラン、カードラン、キサンタンガム、ペクチン、コンニャクグルコマンナン、キシログルカン、グアーガム、アラビアガム、ローカストビーンガム及びゼラチンから選ばれる１種以上のゲル化剤を添加してなる水性ゲル蛍光芳香消臭剤組成物。
【発明の効果】
【００１５】
本発明の水性蛍光芳香消臭剤組成物は、水系において、長期にわたり蛍光発光作用及び芳香消臭作用を有し、且つ、安定性並びに芳香消臭作用に優れたものである。
【発明を実施するための最良の形態】
【００１６】
以下に本発明について詳細に説明する。
【００１７】
本発明で用いられる蓄光顔料は、下記一般式（１）：
ＭＡｌ２Ｏ４        （１）
で表されるものであり、式中のＭは金属原子を表し、この金属原子Ｍとしては、カルシウム、ストロンチウム、バリウムが挙げられ、好ましくは、ストロンチウムである。尚、本発明で用いられる蓄光顔料としては、上記一般式（１）で表される化合物を母結晶とした蓄光顔料であってもよい。
【００１８】
又、本発明で用いられる蓄光顔料としては、上記一般式（１）で表されると共に、金属原子Ｍを、カルシウム、ストロンチウム、バリウムからなる群から選ばれる少なくとも１種以上の金属原子にマグネシウムを添加した複数の金属原子としてなる化合物を母結晶とした蓄光顔料であってもよい。
【００１９】
更に、本発明で用いられる蓄光顔料としては、賦活剤として、ユウロピウムを、Ｍで表される金属原子に対してモル％として０．００１％以上１０％以下の範囲で添加してなる化合物を使用してもよい。
【００２０】
更に又、本発明で用いられる蓄光顔料としては、共賦活剤として、ランタン、セリウム、プラセオジム、ネオジウム、サマリウム、ガドリニウム、テルビウム、ジスプロシウム、ホルミウム、エルビウム、ツリウム、イッテルビウム、ルテチウム、マンガン、スズ、ビスマスからなる群から選ばれる少なくとも１種以上の元素を、Ｍで表される金属元素に対するモル％として０．００１％以上１０％以下の範囲で添加してなる化合物を使用してもよい。
【００２１】
本発明で用いられる蓄光顔料の製造方法としては、特に制限されないが、例えば、特開平７−１１２５０号公報及び特開平９−１３０２８号公報に記載の方法又はこれに準ずる方法を採用することができ、又、市販品を本発明の蓄光顔料として使用してもよい。
【００２２】
本発明の水性蛍光芳香消臭剤組成物中で用いられる上記蓄光顔料の配合量としては、特に制限されないが、蛍光持続性、安定性及び経済性の観点より、好ましくは、０．１〜２０質量％（以下、単に「％」と記載する場合もある）である。
【００２３】
本発明で用いられるアミンオキシド型両性界面活性剤としては、例えば、一般式（２）で表されるアミンオキシド型両性界面活性剤（２）、一般式（３）で表されるアミンオキシド型両性界面活性剤（３）、一般式（４）で表されるアミンオキシド型両性界面活性剤（４）、及び一般式（５）で表されるアミンオキシド型両性界面活性剤（５）から選ばれる少なくとも１種を挙げることができる。
アミンオキシド型両性界面活性剤（２）を表わす一般式（２）：
【００２４】
【化９】
2005287570.tif 000006
において、Ｒ1は直鎖状若しくは分岐鎖状の炭素数８〜２２、好ましくは１０〜１８のアルキル基、又は、直鎖状若しくは分岐鎖状の炭素数８〜２２、好ましくは１０〜１８のアルケニル基である。
【００２５】
上記アミンオキシド型両性界面活性剤（２）の具体例としては、Ｎ−オクチル−Ｎ，Ｎ−ジメチルアミン、Ｎ−デシル−Ｎ，Ｎ−ジメチルアミン、Ｎ−ラウリル−Ｎ，Ｎ−ジメチルアミン、Ｎ−ミリスチル−Ｎ，Ｎ−ジメチルアミン、Ｎ−パルミチル−Ｎ，Ｎ−ジメチルアミン、Ｎ−ステアリル−Ｎ，Ｎ−ジメチルアミン、Ｎ−イソステアリル−Ｎ，Ｎ−ジメチルアミン、Ｎ−ヤシ油アルキル−Ｎ，Ｎ−ジメチルアミン、Ｎ−硬化牛脂アルキル−Ｎ，Ｎ−ジメチルアミン、Ｎ−ベヘニル−Ｎ，Ｎ−ジメチルアミンなどのアルキルジメチルアミン；Ｎ−オクテニル−Ｎ，Ｎ−ジメチルアミン、Ｎ−オレイル−Ｎ，Ｎ−ジメチルアミン、Ｎ−ドコセニル−Ｎ，Ｎ−ジメチルアミンなどのアルケニルジメチルアミンなどのアミンを、公知の方法で過酸化水素と反応させたベタイン化合物を挙げることができ、これらの化合物は単独で又は２種以上を適宜混合して使用することができる。
アミンオキシド型両性界面活性剤（３）を表わす一般式（３）：
【００２６】
【化１０】
2005287570.tif 000007
において、Ｒ2は直鎖状若しくは分岐鎖状の炭素数８〜２２、好ましくは１０〜１８のアルキル基、又は、直鎖状若しくは分岐鎖状の炭素数８〜２２、好ましくは１０〜１８のアルケニル基である。又、ｌ及びｍはエチレンオキシドの平均付加モル数を表わし、ｌ＋ｍは１〜１０、好ましくは２〜８の整数である。
【００２７】
アミンオキシド型両性界面活性剤（３）の代表例としては、Ｎ−オクチル−Ｎ，Ｎ−ジポリオキシエチレンアミン、Ｎ−デシル−Ｎ，Ｎ−ジポリオキシエチレンアミン、Ｎ−ラウリル−Ｎ，Ｎ−ジポリオキシエチレンアミン、Ｎ−ミリスチル−Ｎ，Ｎ−ジポリオキシエチレンアミン、Ｎ−パルミチル−Ｎ，Ｎ−ジポリオキシエチレンアミン、Ｎ−ステアリル−Ｎ，Ｎ−ジポリオキシエチレンアミン、Ｎ−イソステアリル−Ｎ，Ｎ−ジポリオキシエチレンアミン、Ｎ−ヤシ油アルキル−Ｎ，Ｎ−ジポリオキシエチレンアミン、Ｎ−硬化牛脂アルキル−Ｎ，Ｎ−ジポリオキシエチレンアミン、Ｎ−ベヘニル−Ｎ，Ｎ−ジポリオキシエチレンアミンなどのアルキルジポリオキシエチレンアミン；Ｎ−オクテニル−Ｎ，Ｎ−ジポリオキシエチレンアミン、Ｎ−オレイル−Ｎ，Ｎ−ジポリオキシエチレンアミン、Ｎ−ドコセニル−Ｎ，Ｎ−ジポリオキシエチレンアミンなどのアルケニルジポリオキシエチレンアミンなどのアミンを、公知の方法で過酸化水素と反応させたベタイン化合物を挙げることができ、これらの化合物は単独で又は２種以上を適宜混合して使用することができる
アミンオキシド型両性界面活性剤（４）を表わす一般式（４）：
【００２８】
【化１１】
2005287570.tif 000008
において、Ｒ3は直鎖状若しくは分岐鎖状の炭素数８〜２２、好ましくは１０〜１８のアルキル基、又は、直鎖状若しくは分岐鎖状の炭素数８〜２２、好ましくは１０〜１８のアルケニル基である。又、ｎはエチレンオキシドの平均付加モル数を表わし、ｎは１〜１０、好ましくは２〜８の整数である。
【００２９】
アミンオキシド型両性界面活性剤（４）の代表例としては、Ｎ−オクチルポリオキシエチレン−Ｎ，Ｎ−ジメチルアミン、Ｎ−デシルポリオキシエチレン−Ｎ，Ｎ−ジメチルアミン、Ｎ−ラウリルポリオキシエチレン−Ｎ，Ｎ−ジメチルアミン、Ｎ−ミリスチルポリオキシエチレン−Ｎ，Ｎ−ジメチルアミン、Ｎ−パルミチルポリオキシエチレン−Ｎ，Ｎ−ジメチルアミン、Ｎ−ステアリルポリオキシエチレン−Ｎ，Ｎ−ジメチルアミン、Ｎ−イソステアリルポリオキシエチレン−Ｎ，Ｎ−ジメチルアミン、Ｎ−ヤシ油アルキルポリオキシエチレン−Ｎ，Ｎ−ジメチルアミン、Ｎ−硬化牛脂アルキルポリオキシエチレン−Ｎ，Ｎ−ジメチルアミン、Ｎ−ベヘニルポリオキシエチレン−Ｎ，Ｎ−ジメチルアミンなどのアルキルポリオキシエチレンジメチルアミン；Ｎ−オクテニルポリオキシエチレン−Ｎ，Ｎ−ジメチルアミン、Ｎ−オレイルポリオキシエチレン−Ｎ，Ｎ−ジメチルアミン、Ｎ−ドコセニルポリオキシエチレン−Ｎ，Ｎ−ジメチルアミンなどのアルケニルポリオキシエチレンジメチルアミンなどのアミンを、公知の方法で過酸化水素と反応させたベタイン化合物を挙げることができ、これらの化合物は単独で又は２種以上を適宜混合して使用することができる。
アミンオキシド型両性界面活性剤（５）を表わす一般式（５）：
【００３０】
【化１２】
2005287570.tif 000009
において、Ｒ4は直鎖状若しくは分岐鎖状の炭素数８〜２２、好ましくは１０〜１８のアルキル基、又は、直鎖状若しくは分岐鎖状の炭素数８〜２２、好ましくは１０〜１８のアルケニル基である。
【００３１】
アミンオキシド型両性界面活性剤（５）の代表例としては、Ｎ−オクタノイルアミドプロピル−Ｎ，Ｎ−ジメチルアミン、Ｎ−デカノイルアミドプロピル−Ｎ，Ｎ−ジメチルアミン、Ｎ−ラウロイルアミドプロピル−Ｎ，Ｎ−ジメチルアミン、Ｎ−ミリストイルアミドプロピル−Ｎ，Ｎ−ジメチルアミン、Ｎ−パルミトイルアミドプロピル−Ｎ，Ｎ−ジメチルアミン、Ｎ−ステアロイルアミドプロピル−Ｎ，Ｎ−ジメチルアミン、Ｎ−イソステアロイルアミドプロピル−Ｎ，Ｎ−ジメチルアミン、Ｎ−ベヘノイルアミドプロピル−Ｎ，Ｎ−ジメチルアミン、Ｎ−ココイルアミドプロピル−Ｎ，Ｎ−ジメチルアミンなどのアルカノイルアミドプロピルジメチルアミン；Ｎ−オクテノイルアミドプロピル−Ｎ，Ｎ−ジメチルアミン、Ｎ−オレオイルアミドプロピル−Ｎ，Ｎ−ジメチルアミン、Ｎ−ドコセノイルアミドプロピル−Ｎ，Ｎ−ジメチルアミンなどのアルケノイルアミドプロピルジメチルアミンなどのアミンを、公知の方法で過酸化水素と反応させたベタイン化合物を挙げることができ、これらの化合物は単独で又は２種以上を適宜混合して使用することができる。
【００３２】
本発明の水性蛍光芳香消臭剤組成物中で用いられる上記アミンオキシド型両性界面活性剤の配合量は、特に限定されないが、蛍光持続性、安定性及び経済性の観点より、０．０５〜２０％であることが好ましく、０．５〜１０％であることがより好ましい。
【００３３】
本発明の水性蛍光芳香消臭剤組成物には、香料が添加される。この香料としては、例えば各種の合成香料、天然精油、合成精油、柑橘油、動物性香料などが挙げられ、特開２００３−１９０２６４号及びＡｒｃｔａｎｄｅｒ Ｓ．，“Ｐｅｒｆｕｍｅ ａｎｄＦｌａｖｏｒ Ｃｈｅｍｉｃａｌｓ”，ｐｕｂｌｉｓｈｅｄ ｂｙ ｔｈｅ ａｕｔｈｏｒ，Ｍｏｎｔｃｌａｉｒ，Ｎ．Ｊ．（Ｕ．Ｓ．Ａ．）１９６９年などに記載されているような広い範囲の香料成分を使用することができる。本発明では、これらの香料を単独或いは適宜配合した調合香料として用いることができる。
【００３４】
代表的な香料としては、例えば、α−ピネン、リモネン、ｃｉｓ−３−ヘキセノール、フェニルエチルアルコール、スチラリルアセテート、オイゲノール、ローズオキサイド、リナロール、ベンズアルデヒド、ムスコン、テサロン（高砂香料工業株式会社）などの合成香料；ベルガモット油、ガルバナム油、レモン油、ゼラニウム油、ラベンダー油、マンダリン油などの天然精油等を挙げることができる。
【００３５】
本発明の水性蛍光芳香消臭剤組成物中で用いられる上記香料の配合量は、特に限定されないが、香気持続性、安定性及び経済性の観点より、０．１〜２０％であることが好ましく、０．５〜１０％であることがより好ましい。
【００３６】
又、本発明の水性蛍光芳香消臭剤組成物には、上記各成分以外に、アニオン性界面活性剤、非イオン性界面活性剤及び上記一般式（２）乃至（４）で表されるアミンオキシド型両性界面活性剤以外の両性界面活性剤から選ばれる１種以上の界面活性剤を添加することもできる。
【００３７】
アニオン性界面活性剤としては、例えば、アルカンスルホン酸塩、アルキルベンゼンスルホン酸塩、アルキル硫酸塩、ポリオキシエチレンアルキルエーテル硫酸塩、ポリオキシエチレンアルキルフェニルエーテル硫酸塩、α−オレフィンスルホン酸塩などを挙げることができる。
【００３８】
非イオン性界面活性剤としては、例えば、高級アルコールエチレンオキサイド付加物、アルキルフェノールエチレンオキサイド付加物、脂肪酸エチレンオキサイド付加物、多価アルコール脂肪酸エステルエチレンオキサイド付加物、高級アルキルアミンエチレンオキサイド付加物、脂肪酸アルカノールアミドエチレンオキサイド付加物、油脂のエチレンオキサイド付加物、エチレンオキサイド−プロピレンオキサイドブロック共重合体、グリセロールの脂肪酸エステル、ペンタエリスリトールの脂肪酸エステル、ソルビトール及びソルビタンの脂肪酸エステル、ショ糖の脂肪酸エステル、多価アルコールのアルキルエーテル、アルカノールアミン類の脂肪酸アミドなどを挙げることができる。
【００３９】
一般式（２）乃至（４）で表されるアミンオキシド型両性界面活性剤以外の両性界面活性剤としては、例えば、アルキルベタイン、脂肪酸アミドプロピルベタインなどを挙げることができ、これらの種界面活性剤は単独で又は２種以上を適宜混合して使用することができる。
【００４０】
本発明の水性蛍光芳香消臭剤組成物で用いられる前記両性界面活性剤の配合量は、特に限定されないが、各成分の効果が充分に発現するには、０．０１〜１０％であることが好ましく、０．１〜３％であることがより好ましい。
【００４１】
本発明の水性蛍光芳香消臭剤組成物は、液性の安定を目的として、更にＬ−酒石酸、マレイン酸、コハク酸、リンゴ酸、クエン酸 及び乳酸よりなる群から選ばれた１種以上の有機酸を添加することが好ましい。
【００４２】
本発明の水性蛍光芳香消臭剤組成物中で用いられる上記有機酸の配合量は、特に限定されないが、安定性及び経済性の観点より、０．０００１〜５％であることが好ましく、０．００１〜１％であることがより好ましい。
【００４３】
本発明の水性蛍光芳香消臭剤組成物は、その使用目的に応じ、更に消臭剤及び忌避剤から選ばれる少なくとも１種以上の成分を添加することが好ましく、この成分について特に制限はなく、従来より芳香消臭剤組成物などにおいて使用されているものは全て使用可能である。
【００４４】
消臭剤の具体例としては、例えば、植物の葉、葉柄、実、茎、根、樹皮等の各部位から抽出された消臭有効成分や、乳酸、グルコン酸、コハク酸、グルタン酸、アジピン酸、リンゴ酸、酒石酸、マレイン酸、フマル酸、イタコン酸、クエン酸、安息香酸、サリチル酸等の有機酸、各種アミノ酸及びこれら塩、グリオキサール、酸化剤、フラボノイド類、カテキン類、ポリフェノール類、アルキル基の炭素数が８〜２０のアルキルジメチルアミノ酢酸ベタイン、アルキルイミダゾリニウムベタイン、脂肪酸残基の炭素数が８〜２０の脂肪酸アミドプロピルベタインなどの両性界面活性剤などを挙げることができる。
【００４５】
上述した、植物から抽出された消臭有効成分を得るための植物の種類としては、例えば、アビエス、オルガナム、ゲラニウム、スイートオレンジ、ビターアーモンド、ペパーミント、ラベンダー、ユーカリ、ローズマリー、レモン、カタバミ、ドクダミ、ツガ、イチョウ、クロマツ、カラマツ、アカマツ、キリ、ヒイラギモクセイ、ライラック、キンモクセイ、フキ、ツワブキ、茶又はレンギョウ等が好ましい。しかし、これらに限定される必要はなく、前記以外のフトモモ科植物、モクセイ科植物、マツ科植物、ツバキ科植物或いは、これらの植物から誘導培養された植物細胞培養系等も広く使用することができる。又、植物は、１種のみを用いてもよいし、或いは、２種以上を併用してもよい。
【００４６】
植物から消臭成分を抽出する方法としては、特に限定されないが、例えば、前記原料植物に対し、抽出溶媒として、水、或いは、エタノール、メタノール等のアルコール類やメチルエチルケトン、アセトン等のケトン類のような親水性有機溶媒を添加し、ソックスレー抽出器等を用いて消臭有効成分を熱抽出する方法等を挙げることができ、抽出溶媒としては、水と前記親水性有機溶媒等との混合溶媒を併用してもよい。得られた抽出液は、例えば、そのままで、或いは、適当な溶媒で希釈したり、濃縮したり、濃縮乾固したりなどして使用される。消臭有効成分や前記抽出物は、１種のみを用いてもよいし、或いは２種以上を混合して用いてもよい。尚、抽出操作は、一段抽出に限定されず、必要に応じては、疎水性有機溶媒、例えば、石油エーテル、ヘキサン、酢酸エチル等を用いて、原料植物を含有する青臭み等の香気成分をあらかじめ溶出除去しておいてもよい。この香気成分は、水蒸気蒸留法によって除去することも可能で、植物から抽出された消臭有効成分は、一般に、不揮発性である。
【００４７】
消臭剤は、単独で又は２種以上を適宜混合して使用することができる。
【００４８】
忌避剤の具体例としては、例えば、Ｎ，Ｎ−ジエチル−ｍ−トルアミド（ディート）、ジメチルフタレート、ジブチルフタレート、ｐ−メンタン−３，８−ジオール、２−エチル−１，３−ヘキサンジオール、ジ−ｎ−プロピルイソシンコメロネート、ｐ−ジクロロベンゼン、ジ−ｎ−ブチルサクシネート、カラン−３，４−ジオール、１−メチルプロピル−２−（２−ヒドロキシエチル）−１−ピペリジンカルボキシレート、イソチオシアン酸アリルなどを挙げることができる。更に天然のイソチオシアン酸アリルを用いる場合、カラシ（Ｂｒａｓｓｉｃａ ｊｕｎｃｅａ Ｃｚｅｒｎ．ｅｔ Ｃｏｓｓ）、黒カラシ（Ｂｒａｓｓｉｃａ ｎｉｇｒａ Ｋｏｃｈ．）、ワサビ（Ｗａｓａｂｉａ ｊａｐｏｎｉｃａ Ｍａｔｓｕｍ．）などの植物を抽出したものを用いればよい。又、木酢液なども忌避剤として例示され、これらは単独で又は２種以上を適宜混合して使用することができる。
【００４９】
これらの消臭剤及び忌避剤から選ばれる少なくとも１種以上の成分の配合量は、各成分の効果が充分に発現されるようにするには、水性蛍光芳香消臭剤組成物全体の０．１〜１５％であることが好ましく、１〜１０％であることがより好ましい。
【００５０】
本発明の水性蛍光芳香消臭剤組成物の媒体としては水が用いられるが、例えば厳寒時における凍結防止のために、必要に応じて、メタノール、エタノール、プロパノール、イソプロパノール、ブタノールなどのアルコール類；エチレングリコール、プロピレングリコール、１，３−ブタンジオール、へキシレングルコール、グリセリンなどの多価アルコール類；エチレングリコール、ジエチレングリコール、プロピレングリコール、ジプロピレングリコールなどのグリコールのモノメチルエーテルやモノエチルエーテルなどのグリコールエーテル類などを、本発明の水性蛍光芳香消臭剤組成物に適宜添加することもできる。
【００５１】
一方、本発明の水性蛍光芳香消臭剤組成物にゲル化剤を添加することにより、水性ゲル蛍光芳香消臭剤組成物として用いることができる。
【００５２】
本発明において使用し得るゲル化剤としては、カルボキシメチルセルロース多価金属塩、カラーギナン、寒天、ジェランガム、プルラン、カードラン、キサンタンガム、ペクチン、コンニャクグルコマンナン、キシログルカン、グアーガム、アラビアガム、ローカストビーンガムゼラチンから選ばれる１種以上のゲル化剤を挙げることができる。
【００５３】
カルボキシメチルセルロース多価金属塩は、カルボキシメチルセルロース（以下、ＣＭＣという）、ＣＭＣナトリウム又はＣＭＣカリウム（以下、これらをあわせてＣＭＣ類という）を多価金属イオンでゲル化させて得られるものである。
【００５４】
ＣＭＣ類としては、水性ゲル製品として必要とされる形状安定性やゲル強度を得るという点から、１％水溶液粘度｛無水物換算濃度、２５℃でＢ型粘度計にて測定（回転数：６０ｒｐｍ）｝が５ｍＰａ・ｓ以上、好ましくは５０ｍＰａ・ｓ以上のものであることが望ましく、又、水性ゲルの調製段階におけるＣＭＣ類の水溶液のハンドリング性という点から、１％水溶液粘度が１００００ｍＰａ・ｓ以下、好ましくは５０００ｍＰａ・ｓ以下のものであることが望ましい。
【００５５】
又、ＣＭＣ類としては、水に対する溶解性が良好であるという点から、カルボキシメチル基の平均置換度が０．４以上、好ましくは０．５以上のものであることが望ましく、更に、多価金属イオンでゲル化させた際に、分子内にカルボキシメチル基が多量に存在するために分子内架橋が優先的に進行し、生成したゲルが高架橋密度のものとなって安定な水性ゲルが得られなくなるおそれをなくすには、カルボキシメチル基の平均置換度が２以下、好ましくは１．８以下のものであることが望ましい。尚前記ＣＭＣは、２種以上のものを混合して使用することもできる。
【００５６】
前記ＣＭＣ類を多価金属イオンでゲル化させる際には、多価金属塩水溶液を用いることができ、この多価金属塩水溶液は、例えば、アルミニウム塩、鉄塩、カルシウム塩及びバリウム塩から選ばれた少なくとも１種の金属塩の水溶液である。
【００５７】
アルミニウム塩の代表例としては、カリミョウバン、焼ミョウバン、酢酸アルミニウム、硫酸アルミニウム、水酸化アルミニウム、水酸化アルミニウムゲル、塩化アルミニウム、乳酸アルミニウム、アルミン酸ナトリウム、アルミン酸カリウムなどを、鉄塩の代表例としては、塩化第二鉄、硫酸第一鉄などを、カルシウム塩の代表例としては、水酸化カルシウムなどを、バリウム塩の代表例としては、塩化バリウムなどを、それぞれ挙げることができる。
【００５８】
尚、上記多価金属塩の中では、金属塩特有の着色及び経済性の点から、アルミニウム塩が好ましく、すなわち、ＣＭＣ多価金属塩の中でもＣＭＣアルミニウム塩が好ましい。
【００５９】
多価金属塩水溶液をＣＭＣ類の水溶液に添加することにより、多価金属イオンでＣＭＣ類がゲル化されたＣＭＣ多価金属塩を得ることができ、又、多価金属塩が難溶性塩類の場合は、これを水分散体としてＣＭＣ類の水溶液に添加し、更に酸性物質や塩基性物質にて系内のｐＨを適宜調整して多価金属イオンの溶出を制御することにより、ＣＭＣ類がゲル化されたＣＭＣ多価金属塩を得ることができる。尚、多価金属塩水溶液や多価金属塩水分散体の濃度はとくに限定されるものではなく、適宜調整すればよい。
【００６０】
ＣＭＣ多価金属塩をゲル化剤として用いる場合、本発明の水性ゲル蛍光芳香消臭剤組成物中のＣＭＣ含有量は、用いるＣＭＣの１％水溶液粘度によっても異なるが、充分なゲル強度を得るには、無水物換算量で１．５％以上、好ましくは２％以上であることが望ましく、ゲル化前の系の粘度がきわめて高くなり、製品化の際に容器への充填が困難とならないようにするには、無水物換算量で５％以下、好ましくは４％以下であることが望ましい。
【００６１】
尚、水性ゲル蛍光芳香消臭剤組成物中の多価金属塩の量は、多価金属塩の種類、ＣＭＣ類の配合量によって異なるが、適したゲル強度を得るためには、水性ゲル組成物の０．３％以上、好ましくは０．５％以上であって、４％以下、好ましくは３％以下が多価金属塩で構成されることが望ましい。
【００６２】
カラギーナンは、紅藻類のスギノリ科に属する海藻（Ｃｈｏｎｄｒｕｓ Ｃｒｉｓｐｕｓ、ＧｉｇａｒｔｉｎａＳｔｅｌｌａｔａ、Ｃｈｏｎｄｒｕｓ Ｏｃｅｌｌａｔｕｓなど）から抽出されるガラクタンの１種であり、２種のガラクトース（１−３結合のβ−Ｄ−ガラクトースと１−４結合の３，６−アンヒドロ−α−Ｄ−ガラクトース）が連なった構造を有し、硫酸基を有する酸性多糖類である。カラギーナンには、硫酸基の結合位置及び３，６−アンヒドロ−α−Ｄ−ガラクトースの有無によって、式：
【００６３】
【化１３】
2005287570.tif 000010
で表わされる繰り返し単位を有するκ−カラギーナン、式：
【００６４】
【化１４】
2005287570.tif 000011
で表わされる繰り返し単位を有するι−カラギーナン及び式
【００６５】
【化１５】
2005287570.tif 000012
で表わされる繰り返し単位を有するλ−カラギーナンの３種に分類される。
【００６６】
カラギーナンのゲル形成に関与するのは３，６−アンヒドロガラクトースであるので、本発明においては、アンヒドロガラクトースを有するκ−カラギーナン及びι−カラギーナンをゲル化剤として用いることができる。κ−カラギーナンとι−カラギーナンとでは、硫酸含有量の少ないκ−カラギーナンのほうが、ι−カラギーナンに比べてゲル形成能が高く、λ−カラギーナンはゲル物性の改善剤として使用されることがある。
【００６７】
カラギーナンを水と混合し、加熱することによって容易に水和させることができ、これを放冷するとゲル状になるが、更にカルシウムイオンやカリウムイオンなどのカチオンを添加することにより、より強力なゲルを形成させることができる。
【００６８】
カラギーナンをゲル化剤として用いる場合、本発明の水性ゲル蛍光芳香消臭剤組成物中のカラギーナンの量は、充分なゲル強度を得るには、０．５％以上、好ましくは１％以上であることが望ましく、又、ゲル化が困難とならないようにするには、５％以下、好ましくは３％以下であることが望ましい。
【００６９】
寒天は、紅藻類のテングサ科（Ｇｅｌｉｄｉａｃｅａｅ）、オゴノリ科（Ｇｒａｃｉｌａｒｉａｃｅａｅ）、イギス科（Ｃｅｒａｍｉａｃｅａｅ）、ノリ科（Ｇｒａｃｉｌａｒｉａ）、オバクサ科（Ｐｔｅｒｏｃｌａｄｉａ）、サイミ科（Ａｈｎｆｅｌｔｉａ）などの各種海藻の細胞膜内に含有されるものである。寒天は、無晶形、半透明の粉末状、フレーク状、破片状、棒状、紐状などの形状を有し、非水溶性であるが、水膨潤性である。寒天は熱湯に容易に溶解され、例えば０．５％程度の低濃度であっても充分にゲル化させることができる。
【００７０】
寒天をゲル化剤として用いる場合、本発明の水性ゲル蛍光芳香消臭剤組成物中の寒天の量は、充分なゲル強度を得るには、０．２％以上、好ましくは０．５％以上であることが望ましく、又、ゲル化が困難とならないようにするには、５％以下、好ましくは３％以下であることが望ましい。
【００７１】
ジェランガム は式：
【００７２】
【化１６】
2005287570.tif 000013
で表わされる繰り返し単位を有する高分子多糖類である。
【００７３】
ジェランガム の水分散液を、例えば９０℃以上に加熱して水溶液とすることができる。ただし、この水溶液のみを冷却してもゲル強度が高くなりにくいので、該ジェランガムを充分にゲル化するには、ゲル強化剤として、たとえば可溶性塩類や酸をジェランガム水溶液に添加することが好ましい。
【００７４】
ジェランガムをゲル化剤として用いる場合、本発明の水性ゲル蛍光芳香消臭剤組成物中のジェランガムの量は、充分なゲル強度を得るには、０．５％以上、好ましくは１％以上であることが望ましく、又、ゲル化が困難とならないようにするには、１０％以下、好ましくは８％以下であることが望ましい。
【００７５】
プルランは、デンプンを原料とし、黒酵母の一種であるAureobasidium pullulansを培養して得られた、マルトトリオースが規則正しくα-1，6結合した天然多糖類である。
【００７６】
プルランをゲル化剤として用いる場合、本発明の水性ゲル蛍光芳香消臭剤組成物中のプルランの量は、充分なゲル強度を得るには、０．５％以上、好ましくは１％以上であることが望ましく、又、ゲル化が困難とならないようにするには、１０％以下、好ましくは８％以下であることが望ましい。
【００７７】
カードランは、β−１，３−グルコシド結合からなる水不溶性のβ−グルカンで、その懸濁液を加熱すると、固い弾力性のある熱不可逆性のあるゲルを作る性質がある。
【００７８】
カードランをゲル化剤として用いる場合、本発明の水性ゲル蛍光芳香消臭剤組成物中のカードランの量は、充分なゲル強度を得るには、０．５％以上、好ましくは１％以上であることが望ましく、又、ゲル化が困難とならないようにするには、１０％以下、好ましくは８％以下であることが望ましい。
【００７９】
キサンタンガムは、コーンシロップを基質とするグラム陰性菌（Ｘａｎｔｈｏｍｏｎａｓ ｃａｍｐｅｓｔｒｉｓ）の培養液より分離して得られる、Ｄ−グルコース、Ｄ−マンノース、Ｄ−グルクロン酸の、ナトリウム、カリウム及びカルシウム塩からなる多糖類であり、主鎖はβ−１，４結合しているＤ−グルコースから構成され、その主鎖に結合したＤ−マンノースはアセチル化されている。側鎖は主鎖の１つおきにＤ−マンノース２成分とＤ−グルクロン酸が結合する形になっており、末端のＤ−マンノースはピルビン酸塩の形になっている。該キサンタンガムは水及び熱湯に溶解すると中性溶液となり、前記ローカストビーンガムとは熱可逆的なゲルを形成するものである。
【００８０】
キサンタンガムをゲル化剤として用いる場合、本発明の水性ゲル蛍光芳香消臭剤組成物中のキサンタンガムの量は、充分なゲル強度を得るには、０．５％以上、好ましくは１％以上であることが望ましく、又、ゲル化が困難とならないようにするには、１０％以下、好ましくは８％以下であることが望ましい。
【００８１】
ペクチンは、植物や果物の細胞と細胞の間に含まれる多糖類の一種であり、化学構造上の違いから2種類に分類され、メトキシル基の量の多いものは高メトキシル(ＨＭ)ペクチン、少ないものは低メトキシル(ＬＭ)ペクチンと呼ばれ、それぞれ違う性質を持っている。果物に含まれる天然のペクチンは、すべてＨＭペクチンであり。ＬＭペクチンは、果物から粉末ペクチンを精製する過程で人工的に作られたものである。
【００８２】
ペクチンをゲル化剤として用いる場合、本発明の水性ゲル蛍光芳香消臭剤組成物中のペクチンの量は、充分なゲル強度を得るには、０．５％以上、好ましくは１％以上であることが望ましく、又、ゲル化が困難とならないようにするには、１０％以下、好ましくは８％以下であることが望ましい。
【００８３】
コンニャクグルコマンナンは、β-D1,4結合のグルコマンナンで、マンノースとグルコースの比は、約１．６対１であるとされ、約１９の糖の単位のうち一つがアセチル化されているものである。
【００８４】
コンニャクグルコマンナンをゲル化剤として用いる場合、本発明の水性ゲル蛍光芳香消臭剤組成物中のコンニャクグルコマンナンの量は、充分なゲル強度を得るには、０．５％以上、好ましくは１％以上であることが望ましく、又、ゲル化が困難とならないようにするには、１０％以下、好ましくは８％以下であることが望ましい。
キシログルカンは、主に熱帯地方に産する豆科植物タマリンダス インディカ(Tamarindus indica)の種子の主成分であり、β−1,4 −グルカンからなる主鎖に、側鎖としてキシロ−ス、ガラクト−スが結合した構造を有する分子量が約６５万の多糖類である。
【００８５】
キシログルカンをゲル化剤として用いる場合、本発明の水性ゲル蛍光芳香消臭剤組成物中のキシログルカンの量は、充分なゲル強度を得るには、０．５％以上、好ましくは１％以上であることが望ましく、又、ゲル化が困難とならないようにするには、１０％以下、好ましくは８％以下であることが望ましい。
【００８６】
グアーガム は、別名ガールガムとも呼ばれマメ科の植物グアの種子の胚部分に含有する粘液物質を原料とするものである。分子量：約２０，０００、組成としては８０％が、ガラクトースとマンノースであり、たん白質５％、繊維１％、灰分１％であり、ガラクトース：マンノース＝１：２である。グアーガムは冷水に分散して分散液となるが、加熱すると完全に溶解して高粘度溶液となる。
【００８７】
グアーガムをゲル化剤として用いる場合、水性ゲル蛍光芳香消臭剤組成物中のグアーガムの量は、充分なゲル強度を得るには、０．５％以上、好ましくは１％以上であることが望ましく、又、ゲル化が困難とならないようにするには、１０％以下、好ましくは８％以下であることが望ましい。
【００８８】
アラビアガムは、アフリカ産マメ科植物Acacia senegal又はその同属植物の枝幹から得られる分泌物を乾燥させたガムのことである。アラビノース、ガラクトース、ラムノース、グルクロン酸などを主成分とする分子量２４〜５８万の高分子で、無色乃至淡黄色の球状塊、フレーク或いは粉末として市販されている。
【００８９】
アラビアガムをゲル化剤として用いる場合、水性ゲル蛍光芳香消臭剤組成物中のアラビアガムの量は、充分なゲル強度を得るには、０．５％以上、好ましくは１％以上であることが望ましく、又、ゲル化が困難とならないようにするには、１０％以下、好ましくは８％以下であることが望ましい。
【００９０】
ローカストビーンガムは、ガラクトマンナンを主成分とする多糖類であり、ガラクトースとマンノースとの割合が約１：４である。その構造はグアーガムに類似しているが、該グアーガムとはガラクトースとマンノースとの割合が異なる。このローカストビーンガムは冷水に分散して分散液となるが、加熱すると完全に溶解して高粘度溶液となる。
【００９１】
ローストビーンガムをゲル化剤として用いる場合、水性ゲル蛍光芳香消臭剤組成物中のローストビーンガムの量は、充分なゲル強度を得るには、０．５％以上、好ましくは１％以上であることが望ましく、又、ゲル化が困難とならないようにするには、１０％以下、好ましくは８％以下であることが望ましい。
【００９２】
ゼラチンは、動物の結合組織を構成するタンパク質であるコラーゲンを部分的に加水分解することによって得られるものであり、工業的には牛骨、牛皮、豚皮が原料として用いられる。ゼラチンは冷水には溶解せずに膨潤し、温水ないし熱湯には溶解して強力なゲルを形成するが、その水溶液は、あまり長時間煮沸すると加水分解によりゼラチンの低分子化が起こり、ゲル強度が低下してしまう。ゼラチンの抽出は、酸又はアルカリによる前処理をした原料を、温水中に浸漬して行なわれる。
【００９３】
ゼラチンの化学的構造は、１８種類のアミノ酸がペプチド結合した長鎖ポリペプチドである。尚、ゼラチンゲルのゾル−ゲル変化は熱可逆的であり、一般的に１０％ゼラチン溶液の融点は２０〜３０℃程度である。
【００９４】
このようなゼラチン溶液は、水性ゲル製品に用いるゲル組成物に適さない。そこで、ゼラチン分子間における架橋反応による不溶化を行ない、ゲルの高温安定性を維持する方法が採用され得る。この場合の架橋剤（硬化剤）としては、例えばクローム、アルミニウム、第二鉄などの塩や、アルデヒド類、ケトン類、キノン類などが挙げられる。
【００９５】
ゼラチンをゲル化剤として用いる場合、水性ゲル蛍光芳香消臭剤組成物中のゼラチンの量は、充分なゲル強度を得るには、０．５％以上、好ましくは１％以上であることが望ましく、又、ゲル化が困難とならないようにするには、１０％以下、好ましくは８％以下であることが望ましい。
【００９６】
前記ゲル化剤は、単独で又は２種以上を適宜混合して使用することができる。
【００９７】
更に、本発明の水性蛍光芳香消臭剤組成物には、必要に応じて、本発明の効果を妨げない範囲で、通常の芳香消臭剤に使用される、固体、半固体、液状の油剤、抗菌剤、殺菌剤、防黴剤、防腐剤、着色剤、酸化防止剤、紫外線吸収剤、キレート剤等を配合することができる。
【００９８】
本発明の水性蛍光芳香消臭剤組成物の製造方法は、特に限定されるものではないが、例えば、アミンオキシド型両性界面活性剤、香料、蓄光顔料を、水に添加し、混合、撹拌すればよい。
【００９９】
又、水性ゲル蛍光芳香消臭剤組成物の製造方法も、特に限定されるものではないが、例えば、アミンオキシド型両性界面活性剤香料、蓄光顔料を、ゲル化剤に添加し、混合、撹拌すればよい。アミンオキシド型両性界面活性剤の添加時期は、ゲル化剤がゲル化する前であればよく、特に限定されるものではなく、この水性ゲル蛍光芳香消臭剤組成物を所望の成型用容器内に充填し、成型用容器を冷却して水性ゲル蛍光芳香消臭剤製品を得ることができる。
【０１００】
尚、水性ゲル蛍光芳香消臭剤組成物の製造過程での温度は、用いるゲル化剤のゲル化機構によっても異なるが、例えばゲル化剤が前記ＣＭＣ多価金属塩である場合、ゲル層の製造過程での温度は、室温、又は、ゲル化の進行を制御するために、必要に応じて系を例えば５〜６０℃の範囲に調整することが好ましい。この系の温度を６０℃以上にした場合には、例えば低揮発性有機物の揮散による有効成分のロスをきたすため好ましくない。又、ゲル化剤として、前記カラーギナン、寒天、ジェランガム、プルラン、カードラン、キサンタンガム、ペクチン、コンニャクグルコマンナン、キシログルカン、グアーガム、アラビアガム、ローカストビーンガム及びゼラチンを用いる場合には、これらのゲル化剤を水と混合した上で、６０℃以上でこれらゲル化剤を溶解させ、冷却してゲル化させることが好ましい。
【０１０１】
本発明の水性蛍光芳香消臭剤組成物は、室内並びに車内芳香消臭剤等として用いることができる。
【実施例】
【０１０２】
以下、本発明を実施例及び比較例を用いて具体的に説明するが、本発明は、これらにより何ら限定されるものではなく、又、本発明の範囲を逸脱しない範囲で変化させてもよい。
【０１０３】
尚、下記に記載する処方の単位は特に言及しない限り、％は質量％を意味するものとする。又、以下の実施例及び比較例で使用した香料は、下記の処方により調製した。
【０１０４】
【表１】
2005287570.tif 000014
【０１０５】
［実施例１乃至５］
表２に示す水性蛍光芳香消臭剤組成物を調製して、その蛍光強度、経時安定性並びに保留性を評価した。
［比較例１乃至３］
アミンオキシド型両性界面活性剤を使用することなく、表２に示す水性蛍光芳香消臭剤組成物を調製して、その蛍光強度、経時安定性並びに保留性を評価した。
【０１０６】
尚、実施例１乃至５及び比較例１乃至３では、蓄光顔料として、根本特殊化学（株）製の低照度タイプN夜光(GLL-300・商品名)を使用した。
【０１０７】
【表２】
2005287570.tif 000015
【０１０８】
［実施例６］
表３に示す水性蛍光芳香消臭剤組成物を調製して、その蛍光強度、経時安定性並びに保留性を評価した。すなわち、カラギーナンを水、プロピレングリコールに分散させ、撹拌しながら90℃まで加熱し完全に溶解させ、これに香料、界面活性剤、エタノール及び紫外線吸収剤の混合溶液を加え溶解均一とした。クエン酸、防腐剤及び蓄光顔料を加え撹拌均一とした後、容器に充填し室温まで放冷した。
【０１０９】
【表３】
2005287570.tif 000016
【０１１０】
このように、実施例６のゲル芳香剤は、５０℃で１ヶ月及び室温にて６ヶ月放置後もゲルは安定であり、蛍光も維持していた。
【０１１１】
［実施例７］
表４に示す水性蛍光芳香消臭剤組成物を調製して、その蛍光強度、経時安定性並びに保留性を評価した。すなわち、ゼラチン、防腐剤を水に加え、60〜70℃に加熱し完全に溶解させ、これに香料、界面活性剤及びクエン酸の混合溶液を加え溶解均一とした。蓄光顔料、イソブチレン・無水マレイン酸共重合体を加え撹拌均一とした後、容器に充填した。
【０１１２】
【表４】
2005287570.tif 000017
【０１１３】
このように、実施例７のゲル芳香剤は、室温にて１ヶ月放置後もゲルは安定であり、蛍光も維持していた。
【０１１４】
［実施例８］
表５に示す水性蛍光芳香消臭剤組成物を調製して、その蛍光強度、経時安定性並びに保留性を評価した。すなわち、ジェランガムを水に加え、90℃に加熱し完全に溶解させ、これに消臭剤、両性界面活性剤の混合溶液を加え溶解均一とした。防腐剤、塩化カルシウム、クエン酸、香料、ｐ−メンタン−３，８−ジオール（忌避剤）及び蓄光顔料を加え撹拌均一とした後、容器に充填した。
【０１１５】
【表５】
2005287570.tif 000018
【０１１６】
このように、実施例８のゲル芳香剤は、室温にて１ヶ月放置後もゲルは安定であり、蛍光も維持していた。
【産業上の利用可能性】
【０１１７】
本発明の水性蛍光芳香消臭剤組成物は、水系において、長期にわたり蛍光発光作用及び芳香消臭作用を有し、且つ、安定性並びに芳香消臭作用に優れたものである。